(57)【特許請求の範囲】
【請求項１】
内枠と、
前記内枠の前方側に位置して前記内枠に対して所定方向に移動可能に開閉する開閉枠と、
を備えた遊技機において、
前記開閉枠に設けられた開口部と、
前記内枠に設けられ前記開口部を介して視覚的に認識可能な認識部と、
前記内枠あるいは前記開閉枠の少なくとも一方に設けられ、前記内枠に対して前記開閉枠を閉鎖位置で閉鎖した場合には特定方向から前記開口部を介して前記認識部を視認可能とする一方、前記開閉枠を所定の開放位置で開放した場合には前記特定方向から前記開口部を介して前記認識部を視認不能とする遮蔽部とを有し、
前記特定方向が当該遊技機に対して正面側からの一定方向であり、
前記特定方向が前記開口部の開口方向に正対する方向であり、
前記開閉枠を前記所定の開放位置よりも開放方向に開放した場合には前記認識部が露出して視認可能となり、
前記開閉枠が前記内枠の一側にヒンジ部を介して開閉可能であり、前記認識部が前記内枠の前記ヒンジ部と反対側上部位置に設けられていて、
前記認識部が光を放つ発光体であり、前記開閉枠の前記閉鎖位置では前記発光体の光が前記開口部を介して視認可能である一方、前記開閉枠の前記所定の開放位置では、前記発光体の光が前記遮蔽部により遮断され、
前記遮蔽部は、前記開口部を覆うように設けた偏光部材を含み、前記偏光部材は前記発光体に対して、前記開閉枠が前記閉鎖位置にあるときには前記発光体の光を透過する一方、前記開閉枠が前記所定の開放位置にあるときには前記発光体の光を透過しない位置関係であることを特徴とする遊技機。
【請求項２】
前記遮蔽部は、前記内枠に対して前記開閉枠が前記閉鎖位置にあるときに前記開口部を開放する第一位置と前記開閉枠が前記所定の開放位置にあるときに前記開口部を覆う第二位置との間を移動するシャッター部材を含むことを特徴とする請求項１に記載の遊技機。
【請求項３】
前記遮蔽部は、前記開口部内に開口方向に向けて当該開口部を仕切るように設けられた仕切壁を含むことを特徴とする請求項１又は２に記載の遊技機。
【発明の詳細な説明】
【技術分野】
【０００１】
本発明は、パチンコ遊技機等に代表される遊技機に関する。
【背景技術】
【０００２】
一般に、パチンコ遊技機等の遊技機は、遊技球等の遊技媒体が流下可能な遊技領域が形成された遊技盤を備え、遊技盤を保持する内枠の前面側には一端側に配置された軸支機構によって開閉自在に軸支されたガラス窓等の開閉枠が配置されて、遊技を行う際に開閉枠がヒンジ部の反対側で固定されて閉鎖位置とされる。そして、遊技が行われる際には、発射装置によって発射された遊技球が遊技領域に打ち込まれ、遊技領域内を流下して所定位置に配置された入球領域（入賞口等）に入球することによって、遊技者に対して所定数の賞球が付与されるように構成される。
【０００３】
このような遊技機では、外部からピアノ線等の異物（不正器具）を侵入させて入賞口等を開放させて遊技球を入球させやすい状態にして多くの賞球を獲得しようとする等の不正行為が行われることがある。その際、遊技機の内部に異物を侵入させるために、例えば、閉鎖位置となっている開閉枠を開放方向へ強引に引っ張る等して内枠と開閉枠との間に隙間が形成される。
【０００４】
そこで、上記開閉枠を不正に開放しようとする不正行為に対処するために、開閉枠の開閉状態を検出して開放時に賞球の払出を停止させる遊技機が知られている（例えば、特許文献１参照。）。この遊技機では、内枠にドアスイッチを取り付けるとともに、ドアスイッチの取付位置に対応する開閉枠の裏側（内枠側）に凸部を突設し、凸部がドアスイッチを押し込むことによって開閉枠が閉鎖位置であることを検知する一方、凸部によるドアスイッチの押し込みが解除された場合に開閉枠が開放位置であることを検知するように構成される。
【０００５】
しかしながら、開閉枠が開放位置であることを検知する際には、凸部によるドアスイッチの押し込みが解除されなければならないため、内枠と開閉枠との隙間が微少であると不正が検知できないことがあった。
【先行技術文献】
【特許文献】
【０００６】
【特許文献１】特開平１０−２１６３２１号公報
【発明の概要】
【発明が解決しようとする課題】
【０００７】
本発明は前記の点に鑑みなされたものであり、開閉枠の微少な開放を認識することが可能な遊技機を提供するものである。
【課題を解決するための手段】
【０００８】
すなわち、請求項１の発明は、内枠と、前記内枠の前方側に位置して前記内枠に対して所定方向に移動可能に開閉する開閉枠と、を備えた遊技機において、前記開閉枠に設けられた開口部と、前記内枠に設けられ前記開口部を介して視覚的に認識可能な認識部と、前記内枠あるいは前記開閉枠の少なくとも一方に設けられ、前記内枠に対して前記開閉枠を閉鎖位置で閉鎖した場合には特定方向から前記開口部を介して前記認識部を視認可能とする一方、前記開閉枠を所定の開放位置で開放した場合には前記特定方向から前記開口部を介して前記認識部を視認不能とする遮蔽部とを有し、前記特定方向が当該遊技機に対して正面側からの一定方向であり、前記特定方向が前記開口部の開口方向に正対する方向であり、前記開閉枠を前記所定の開放位置よりも開放方向に開放した場合には前記認識部が露出して視認可能となり、前記開閉枠が前記内枠の一側にヒンジ部を介して開閉可能であり、前記認識部が前記内枠の前記ヒンジ部と反対側上部位置に設けられていて、前記認識部が光を放つ発光体であり、前記開閉枠の前記閉鎖位置では前記発光体の光が前記開口部を介して視認可能である一方、前記開閉枠の前記所定の開放位置では、前記発光体の光が前記遮蔽部により遮断され、前記遮蔽部は、前記開口部を覆うように設けた偏光部材を含み、前記偏光部材は前記発光体に対して、前記開閉枠が前記閉鎖位置にあるときには前記発光体の光を透過する一方、前記開閉枠が前記所定の開放位置にあるときには前記発光体の光を透過しない位置関係であることを特徴とする遊技機に係る。
【０００９】
請求項２の発明は、前記遮蔽部は、前記内枠に対して前記開閉枠が前記閉鎖位置にあるときに前記開口部を開放する第一位置と前記開閉枠が前記所定の開放位置にあるときに前記開口部を覆う第二位置との間を移動するシャッター部材を含むことを特徴とする請求項１に記載の遊技機に係る。
【００１０】
請求項３の発明は、前記遮蔽部は、前記開口部内に開口方向に向けて当該開口部を仕切るように設けられた仕切壁を含むことを特徴とする請求項１又は２に記載の遊技機に係る。
【発明の効果】
【００１１】
請求項１の発明に係る遊技機は、内枠と、前記内枠の前方側に位置して前記内枠に対して所定方向に移動可能に開閉する開閉枠と、を備えた遊技機において、前記開閉枠に設けられた開口部と、前記内枠に設けられ前記開口部を介して視覚的に認識可能な認識部と、前記内枠あるいは前記開閉枠の少なくとも一方に設けられ、前記内枠に対して前記開閉枠を閉鎖位置で閉鎖した場合には特定方向から前記開口部を介して前記認識部を視認可能とする一方、前記開閉枠を所定の開放位置で開放した場合には前記特定方向から前記開口部を介して前記認識部を視認不能とする遮蔽部とを有し、前記特定方向が当該遊技機に対して正面側からの一定方向であり、前記特定方向が前記開口部の開口方向に正対する方向であり、前記開閉枠を前記所定の開放位置よりも開放方向に開放した場合には前記認識部が露出して視認可能となり、前記開閉枠が前記内枠の一側にヒンジ部を介して開閉可能であり、前記認識部が前記内枠の前記ヒンジ部と反対側上部位置に設けられていて、前記認識部が光を放つ発光体であり、前記開閉枠の前記閉鎖位置では前記発光体の光が前記開口部を介して視認可能である一方、前記開閉枠の前記所定の開放位置では、前記発光体の光が前記遮蔽部により遮断され、前記遮蔽部は、前記開口部を覆うように設けた偏光部材を含み、前記偏光部材は前記発光体に対して、前記開閉枠が前記閉鎖位置にあるときには前記発光体の光を透過する一方、前記開閉枠が前記所定の開放位置にあるときには前記発光体の光を透過しない位置関係であるため、特別な動作が不要で目視するだけで開閉枠の微少な開放を容易かつ効率的に確認作業を行うことができる。また、開閉枠の開閉状況を容易に確認することができるとともに、開閉枠がわずかに開放された場合でも遮蔽部が認識部を遮蔽することができ、かつ、認識部の確認が容易となる。さらに、認識部の視認が容易となるとともに、簡易な構成で遮蔽部の遮蔽効果を発揮することができる。
【００１２】
請求項２の発明は、請求項１において、前記遮蔽部は、前記内枠に対して前記開閉枠が前記閉鎖位置にあるときに前記開口部を開放する第一位置と前記開閉枠が前記所定の開放位置にあるときに前記開口部を覆う第二位置との間を移動するシャッター部材を含むため、簡易な構成で遮蔽効果を発揮することができる。
【００１３】
請求項３の発明は、請求項１又は２において、前記遮蔽部は、前記開口部内に開口方向に向けて当該開口部を仕切るように設けられた仕切壁を含むため、簡易な構成で遮蔽効果を発揮することができる。
【図面の簡単な説明】
【００１４】
【図１】本発明の第１実施例に係る遊技機全体の正面図である。
【図２】図１の遊技機の斜視図である。
【図３】図１の遊技機の分解斜視図である。
【図４】開口部近傍の拡大正面図である。
【図５】開口部近傍の拡大斜視図である。
【図６】図１のＡ−Ａ断面図である。
【図７】認識部近傍の要部断面図である。
【図８】第２実施例に係る遊技機の認識部近傍の要部断面図である。
【図９】第３実施例に係る遊技機の開口部近傍の拡大正面である。
【図１０】第３実施例に係る遊技機の認識部近傍の要部断面図である。
【発明を実施するための形態】
【００１５】
図１，２に示す第１実施例の遊技機１は、この発明の一実施形態に係るパチンコ遊技機である。遊技機１では、内枠２の内側に遊技盤３が着脱交換可能に収容されており、その遊技盤３に遊技球（遊技媒体）の内側ガイドレール４及び外側ガイドレール５が略円形に立設され、前記内側ガイドレール４によって囲まれて遊技球が流下可能な遊技領域６に、遊技球の入賞可能な入賞領域である入賞口等の役物が設けられている。図１，２において、遊技盤３に備えられた釘や各種役物は省略している。
【００１６】
役物としては、図示しないが、液晶表示器，有機ＥＬ，ＣＲＴ，その他の表示手段で構成される表示装置、遊技球の入球（入賞）に起因して特別遊技状態（大当たり状態）に移行するか否かの判定を開始するための入球口に相当する始動入賞口、遊技特典付与装置としての大入賞装置、アウト口、普通図柄変動始動用ゲート、袖入賞口、落とし入賞口等が挙げられる。
【００１７】
また、この遊技機１は、内枠２の前方側に位置して内枠２に対して所定方向に移動可能に開閉する開閉枠６０を備え、遊技状態を報知する枠飾りランプ３５、払い出された遊技球を受けるための上側球受け皿３２、上側球受け皿３２を取り付けるための取付板３３、上側球受け皿３２の飽和時に遊技球を受けるための下側球受け皿３４、音声や効果音を発して遊技状態を遊技者に報知するスピーカ３７、遊技者による操作ハンドルＨ１（操作手段）の発射操作に応じて遊技球を遊技領域６に向けて弾発発射する発射装置Ｈ等がそれぞれ組み付けられている。
【００１８】
開閉枠６０は、図２，３に示すように、遊技盤３の前面側に配置される透明板７を保持し閉鎖位置で透明板７を介して遊技領域６を視認可能とするものであり、内枠２の一側にヒンジ部８を介して開閉可能とされ、閉鎖位置に位置した際に他側（ヒンジ部８の反対側）において公知の施錠機構（図示せず）により施錠可能される。なお、透明板７としては、開閉枠６０に取り付けた際に遊技領域６が視認可能なものであればよく、例えば、ガラスやプラスチック等の公知の透明な部材が使用される。
【００１９】
この遊技機１にあっては、図１〜図５に示すように、開口部７０と、認識部８０と、遮蔽部９０とを有する。
【００２０】
開口部７０は、図６，７に示すように、開閉枠６０に設けられた貫通孔である。実施例では、所定長さを有する筒状体７１により形成される。開口部７０の開口方向は、遊技機１の正面方向側に向かって開口されるのであれば特に限定されるものではなく、例えば、開閉枠６０が閉鎖位置のときに遊技盤３に対して垂直方向としたり、遊技盤３に対して所定角度傾斜させた方向としたりすることができる。実施例では、遊技盤３に対して垂直方向である。
【００２１】
認識部８０は、図７に示すように、内枠２に設けられ、開口部７０を介して視覚的に認識可能に構成される。認識部８０としては、例えば、開口部近傍の開閉枠６０と異なる色に着色された適宜の部材や、ＬＥＤ等の光を放つ発光体等を用いることができる。実施例では、ＬＥＤからなる発光体８１が使用される。なお、図中の符号８２は発光体８１が放つ光である。
【００２２】
遮蔽部９０は、図６，７に示すように、内枠２あるいは開閉枠６０の少なくとも一方に設けられ、内枠２に対して開閉枠６０を閉鎖位置で閉鎖した場合には特定方向から開口部７０を介して認識部８０を視認可能とする一方、開閉枠６０を所定の開放位置で開放した場合には前記特定方向から開口部７０を介して認識部８０を視認不能とするように構成される。
【００２３】
ここで、特定方向とは、当該遊技機１に対して正面側からの一定方向であり、特に開口部７０の開口方向に正対する方向である。また、所定の開放位置とは、図６（ｂ）に示すように、開閉枠６０を開放方向へ強引に引っ張る等して内枠２と開閉枠６０との間に異物が侵入可能なわずかな隙間ｓが形成される不正な位置であり、例えば、開閉枠６０が閉鎖位置から２〜３度開放方向に開放された位置である。
【００２４】
実施例の遮蔽部９０は、開閉枠６０や開口部７０を構成する筒状体７１の他、開口部７０を覆うように設けた偏光部材９１を含む。偏光部材９１は、発光体８１に対して、開閉枠６０が閉鎖位置にあるときには発光体８１の光８２を透過する一方、開閉枠６０が所定の開放位置にあるときには発光体８１の光８２を透過しない位置関係で設けられる。偏光部材９１としては、ハーフミラー、マジックミラー、偏光板等を適宜使用することができる。
【００２５】
また、この遊技機１では、認識部８０を内枠２のヒンジ部８と反対側上部位置に設けられる。内枠２のヒンジ部８と反対側位置では、ヒンジ部８側位置に比べで開閉枠６０を開放方向に移動させた際の開閉枠６０の移動量が比較的大きくなるので、開閉枠６０がわずかに開放されれた（例えば、２〜３度開放）場合でも、遮蔽部９０が認識部８０を遮蔽することができる。そして、認識部８０を内枠２の上部位置とすれば、認識部８０の高さ位置が遊技場の店員等の確認者の視線とほぼ同一高さとなり、認識部８０の確認が容易となる。
【００２６】
さらに、この遊技機１では、開閉枠６０を所定の開放位置よりも開放方向に開放した場合には認識部８０が露出して視認可能とされる。開閉枠６０を所定の開放位置よりも開放方向に開放する場合とは、例えば、点検等を行うために開閉枠６０の施錠を解除して開閉枠６０を大きく開放させた状態等の正常な開放位置である。従って、開閉枠６０が閉鎖位置に位置する（正常な閉鎖）場合は認識部８０が開口部７０を介して視認可能であり、開閉枠６０が所定の開放位置（不正な開放）に位置する場合は認識部８０が遮蔽部９０に遮蔽されて認識不能となり、開閉枠６０が所定の開放位置（不正な開放）より開放方向に位置する（正常な開放）場合は認識部８０が露出して認識可能となるため、開閉枠６０の開閉状況を容易に確認することができる。
【００２７】
ここで、第１実施例の遊技機１における開閉枠６０の開閉状況の確認手順について説明する。まず、遊技場の店員等の確認者は、遊技機１の正面側、特に、開閉枠６０が閉鎖位置である時の開口部７０の開口方向に正対する位置（確認位置）から開口部７０を介して認識部８０（発光体８１の光８２）が視認可能であるか否かの確認を行う。その際、確認者は、遊技機１の正面側（開口部７０の開口方向に正対する位置）から目視するだけでよく、覗き込んだり確認操作をしたりする等の特別な動作が不要であり、容易かつ効率的に確認作業を行うことができる。
【００２８】
図６（ａ）及び図７（ａ）に示すように、開閉枠６０が閉鎖位置にある場合、開口部７０は認識部８０である発光体８１の正面側に位置するとともに、その開口方向が認識部８０の正面側（遊技機１の正面側）方向とされる。また、遮蔽部９０を構成する偏光部材９１は、発光体８１の光８２が透過可能となるように、発光体８１に対して正対して配置される。この時、発光体８１の光８２は、偏光部材９１を透過するとともに、開口部７０を介して遊技機１外部に向かって放たれる。従って、確認者は、確認位置の方向から開口部７０を介して発光体８１の光８２を視認することができるため、開閉枠６０が正常な閉鎖位置に位置していると確認することができる。
【００２９】
一方、図６（ｂ）及び図７（ｂ）に示すように、開閉枠６０が所定の開放位置（不正な開放）にある場合、開口部７０は、開閉枠６０が開放方向に移動したことに伴って移動するため、開口方向が認識部８０の正面側方向に対して斜め方向とされる。これにより、偏光部材９１は発光体８１に対して傾斜した位置関係となり、発光体８１の光８２を透過させない。そのため、発光体８１の光８２は、偏光部材９１に遮られて遊技機１外部には放たれない。従って、確認者は、確認位置の方向から開口部７０を介して発光体８１の光８２を視認することができないため、開閉枠６０が不正な開放位置に位置していると確認することができる。
【００３０】
次に、図８に示す第２実施例に係る遊技機１Ａについて説明する。この遊技機１Ａでは、遮蔽部９０Ａが、内枠２に対して開閉枠６０が閉鎖位置にあるときに開口部７０を開放する第一位置と、開閉枠６０が所定の開放位置にあるときに開口部７０を覆う第二位置との間を移動するシャッター部材９１Ａを含む。なお、以下の説明において、第１実施例と同一の符号は同一の構成を表すものとして、その説明を省略する。
【００３１】
シャッター部材９１Ａは、開口部７０を覆う（閉鎖する）ことが可能な適宜の部材からなり、開閉枠６０に設けられる。実施例では、図示しない付勢部材により常時開口部７０を覆う方向に付勢され、開閉枠６０が閉鎖位置にある時には内枠２に設けられたストッパ部材９２Ａに係止させて付勢部材の付勢力に抗して開口部７０を開放する第一位置に位置するとともに、開閉枠６０が所定の開放位置にある時にはストッパ部材９２Ａによる係止状態が解除されて付勢部材の付勢力により開口部７０を覆う第二位置に位置するように構成される。
【００３２】
ここで、第２実施例の遊技機１Ａにおける開閉枠６０の開閉状況の確認手順について説明する。確認者は、第１実施例と同様に、確認位置から開口部７０を介して認識部８０（発光体８１の光８２）が視認可能であるか否かの確認を行う。図８（ａ）に示すように、開閉枠６０が閉鎖位置にある場合、シャッター部材９１Ａは、ストッパ部材９２Ａにより係止されて開口部７０を開放する第一位置に位置している。そのため、発光体８１の光８２は、認識部８０の正面側方向に開口するように位置する開口部７０を介して遊技機１外部に向かって放たれる。従って、確認者は、確認位置の方向から開口部７０を介して発光体８１の光８２を視認することができ、開閉枠６０が正常な閉鎖位置に位置していると確認することができる。
【００３３】
一方、図８（ｂ）に示すように、開閉枠６０が所定の開放位置（不正な開放）にある場合、シャッター部材９１Ａは、開閉枠６０とともに開放方向に移動することによりストッパ部材９２Ａによる係止状態が解除され、付勢部材の付勢力により第一位置から開口部７０を覆う第二位置に変更される。これにより、発光体８１の光８２は、開口部７０を覆うシャッター部材９１Ａに遮られて遊技機１外部には放たれない。従って、確認者は、確認位置の方向から開口部７０を介して発光体８１の光８２を視認することができず、開閉枠６０が不正な開放位置に位置していると確認することができる。
【００３４】
図９，１０に示す第３実施例に係る遊技機１Ｂでは、遮蔽部９０Ｂが、開口部７０内に開口方向に向けて当該開口部７０を仕切るように設けられた仕切壁９１Ｂを含む。仕切壁９１Ｂは、図９に示すように、筒状体７１内に開口部７０の縦方向に亘って設けられた薄板状の部材である。また、仕切壁９１Ｂの長さは特に限定されないが、実施例では、図１０に示すように、筒状体７１の長さよりわずかに短い程度である。なお、図の符号７０Ａは仕切壁９１Ｂに仕切られた開口部７０の第１貫通部、７０Ｂは仕切壁９１Ｂに仕切られた開口部７０の第２貫通部を表す。
【００３５】
ここで、第３実施例の遊技機１Ｂにおける開閉枠６０の開閉状況の確認手順について説明する。確認者は、第１及び第２実施例と同様に、確認位置から開口部７０を介して認識部８０（発光体８１の光８２）が視認可能であるか否かの確認を行う。図９及び図１０（ａ）に示すように、開閉枠６０が閉鎖位置にある場合、開口部７０の開口方向が認識部８０の正面側（遊技機１の正面側）方向であるため、開口部７０の第１貫通部７０Ａ及び第２貫通部７０Ｂを介して発光体８１の光８２が遊技機１外部に向かって放たれる。従って、確認者は、確認位置の方向から開口部７０を介して発光体８１の光８２を視認することができ、開閉枠６０が正常な閉鎖位置に位置していると確認することができる。
【００３６】
一方、図９（ｂ）に示すように、開閉枠６０が所定の開放位置（不正な開放）にある場合、開口方向が認識部８０の正面側方向に対して斜め方向となることにより、仕切壁９１Ｂも認識部８０の正面側方向に対して斜め方向の位置関係となる。そのため、発光体８１の光８２は、認識部８０正面方向に対して傾斜した位置関係にある筒状体７１の内壁部分７１Ｂや仕切壁９１Ｂの側面部分９２Ｂに遮られて遊技機１外部には放たれない。従って、確認者は、確認位置の方向から開口部７０を介して発光体８１の光８２を視認することができず、開閉枠６０が不正な開放位置に位置していると確認することができる。
【００３７】
以上図示し説明したように、本発明の遊技機では、遮蔽部９０（９０Ａ，９０Ｂ）により、内枠２に対して開閉枠６０を閉鎖位置で閉鎖した場合に特定方向から開口部７０を介して認識部８０が視認可能となる一方、開閉枠６０を所定の開放位置で開放した場合に特定方向から開口部７０を介して認識部８０が視認不能となるため、開閉枠６０の微少な開放を容易に認識することができる。従って、遊技者が内枠２に対して開閉枠６０を微少に開放（所定の開放位置で開放）させて、内枠２と開閉枠６０との隙間ｓからピアノ線等の異物を侵入させる等の不正を働いたとしても、遊技場の店員等の確認者は容易に不正行為を把握することができる。
【００３８】
なお、本発明の遊技機は、前述の実施例のみに限定されるものではなく、発明の趣旨を逸脱しない範囲において構成の一部を適宜に変更して実施することができる。例えば、実施例では、開閉枠がヒンジ部を介して開閉可能な構成としたが、これに限定されるものではなく、スライド式の開閉枠等で構成してもよい。
【００３９】
また、第２実施例では、付勢部材の作用によって開口部を覆うように構成されたシャッター部材を用いたが、開閉枠の開放を検知して作動するスライド式のシャッター部材を用いてもよい。
【００４０】
さらに、第１〜第３実施例では、偏光部材、シャッター部材、仕切壁をそれぞれ個別に設ける構成としたが、これらを適宜組み合わせて設けてもよい。
【００４１】
本発明の遊技機は、パチンコ遊技機の実施例を用いて説明したが、この他にスロットマシン、アレンジボール等の適宜の遊技機に適用することができる。
【符号の説明】
【００４２】
１      遊技機
２      内枠
３      遊技盤
６      遊技領域
６０    開閉枠
７０    開口部
８０    認識部
９０    遮蔽部
【図１】
0005226044.tif 000002
【図２】
0005226044.tif 000003
【図３】
0005226044.tif 000004
【図４】
0005226044.tif 000005
【図５】
0005226044.tif 000006
【図６】
0005226044.tif 000007
【図７】
0005226044.tif 000008
【図８】
0005226044.tif 000009
【図９】
0005226044.tif 000010
【図１０】
0005226044.tif 000011